(57)【要約】【課題】  券類供給装置の券の投入時における券詰まりを防止する。【解決手段】  ホッパの扉が開く事により前記ホッパの底面であって前記券類送出口と反対側のホッパの底面の一辺を支軸として支軸中心に回動可能である底面と、上記底面の下部にある上記底面を動かすカムとによって券装填の際にホッパの底面近傍に設けられた券類を送出するための券類送出口を塞ぐ。また前記ホッパの扉を閉めると、前記カムが回動し、前記券類送出口が開放される。【選択図】  図３
2008250499.tif 000002
【特許請求の範囲】
【請求項１】
券類を積層した状態で収納する箱状のホッパと、
前記ホッパの壁面に設けられ、前記ホッパに券類を投入するための扉と、
前記扉とは異なる壁面であって前記ホッパの底面近傍に設けられた、券類を送出するための券類送出口と、
前記扉が開くことにより前記券類送出口より券類の送出を阻止し、前記扉が閉まることにより券類の送出を許容する券類送出阻止機構と、
を有することを特徴とする券類供給装置。
【請求項２】
券類を積層した状態で収納する箱状のホッパと
前記ホッパの壁面に設けられ、前記ホッパに券類を投入するための扉と、
前記ホッパが持つ一辺を支軸として回動可能な底面と、
前記扉とは異なる壁面であって、前記底面の回動支軸と対抗する壁面の前記底面近傍に設けられた、券類を送出するための券類送出口と、
前記扉を開くことにより前記底面の支軸を軸として上向きに回動させ前記券類送出口を閉塞し、前記扉を閉じることにより前記底面の支軸を軸として下向きに回動させて前記券類送出口を開放するよう前記底面を回動させる駆動機構と、
を有することを特徴とする券類供給装置。
【請求項３】
券類を積層した状態で収納する箱状のホッパと、
前記ホッパの壁面に設けられ、前記ホッパに券類を投入するための扉と、
前記扉とは異なる壁面であって前記ホッパの底面近傍に設けられた、券類を送出するための券類送出口と、
前記券類送出口近傍に設けられた部材であって、前記扉を開くことにより第一の方向に回動され、前記券類送出口にて券類の送出を阻止し、前記扉を閉じることにより前記第一の方向とは逆向きの第二の方向に回動することにより券類送出口にて券類の送出を許容する券類送出阻止部材と、
を有することを特徴とする券類供給装置。
【請求項４】
券類供給装置より供給された券類に可視情報を印刷するための印刷部と、
前記券類供給装置により供給された券類に情報を記録させる情報記録部と、
前記券類供給装置より券類を前記印刷部と前記情報記録部に搬送する搬送路とを有し、
前記券類供給装置は、
券類を積層した状態で収納する箱状のホッパと、
前記ホッパの壁面に設けられ、前記ホッパに券類を投入するための扉と、
前記扉とは異なる壁面であって前記ホッパの底面近傍に設けられた、券類を送出するための券類送出口と、
前記扉が開くことにより前記券類送出口より券類の送出を阻止し、前記扉が閉まることにより券類の送出を許容する券類送出阻止機構と
を有すること特徴とする発券装置。
【請求項５】
券類供給装置により供給された券類に可視情報を印刷するための印刷部と、
前記券類供給装置により供給された券類に情報を記録する情報記録部と、
前記券類供給装置より券類を前記印刷部と前記情報記録部に搬送する搬送路と、
利用者によって操作され、貨幣の投入、券の購入指示を行うことにより前記券類供給装置から券を供給し、前記印刷部による可視情報の印刷及び位置情報記録部による情報の記録を行った県を発行する制御部とを有し、
前記券類供給装置は、券類を積層した状態で収納する箱状のホッパと、
前記ホッパの壁面に設けられ、前記ホッパに券類を投入するための扉と、
前記扉とは異なる壁面であって前記ホッパの底面近傍に設けられた、券類を送出するための券類送出口と、
前記扉が開くことにより前記券類送出口より券類の送出を阻止し、前記扉が閉まることにより券類の送出を許容とする券類送出阻止機構と、
を有することを特徴とする券売機。
【発明の詳細な説明】
【技術分野】
【０００１】
本発明は券類詰まりを防止する券類供給装置とその券類供給装置を持つ発券装置及び券売機に関する。
【背景技術】
【０００２】
カード型の券類を上下に積み重ねて収納するホッパを有する券類供給装置においては、券類供給装置からの券類の送り出しは、券類供給装置の下部から送出手段により一枚ずつ送り出して発券するものであった。（特許文献１参照。）
【特許文献１】特開平７−８９６１９号公報
【発明の開示】
【発明が解決しようとする課題】
【０００３】
定期券発売機などの券売機が持つ発券装置では定期券原紙、生カード等のプレカット券を充填する券類供給装置を有しており、券類供給装置への券類の装填は通常手作業で行われる。この券類供給装置からの券類の繰り出しは通常ピッカローラやピッカブロックなどが使われるが、券類がばらついたまま装填する等、正しい装填がされなかった場合、繰り出し手段が正常に作動せず券詰まりの原因となっている。また上記券詰まり防止の為の券装填時の注意事項が増え、作業者の業務の負担増にも繋がっている。
【０００４】
本発明は券類の装填時に生じる券類のずれによる券詰まりを防止する券類供給装置、発券装置及び券売機を提供することを目的とする。
【課題を解決するための手段】
【０００５】
上述した目的を達成するために本発明の券類供給装置は、券類を積層した状態で収納する箱状のホッパと、前記ホッパの壁面に設けられ、前記ホッパに券類を入れるための扉と、前記扉とは異なる壁面であって前記ホッパの底面近傍に設けられた、券類を送出するための券類送出口と、前記扉が開くことにより前記券類送出口より券類の送出を阻止し、前記扉が閉まることにより券類の送出を許容する券類送出阻止機構とを有することを特徴とする。
【発明の効果】
【０００６】
本発明によれば券類の装填時に生じる券類のずれによる券詰まりを防止する券類供給装置、発券装置及び券売機を提供することが出来る。
【発明を実施するための最良の形態】
【０００７】
以下本発明の実施例について図面を参照しながら説明する。 
【実施例１】
【０００８】
図１は、この発明の実施の形態にかかわる券売機１の構成を示す図である。 上記券売機１は、例えば、鉄道の駅に設置され、普通乗車券（エドモンソン券）を発券するものである。上記券売機１では、磁気ロール紙を所定のサイズに切り出して乗車券として発券する発券装置１６を備えている。
【０００９】
上記券売機１には、接客面に、タッチパネル２ａ内蔵の表示部２が設けられている。上記タッチパネル２ａは液晶表示部（ＬＣＤ）などにより構成される。上記表示部２は、発券する券の種類や枚数などの発行案内を表示したり、発券する券の合計金額や利用者が投入した金額などの案内を表示したりする。
【００１０】
また、接客面には紙幣投入／排出口４、硬貨投入口５、硬貨排出口８、券投入／排出口６が設けられている。紙幣投入／排出口４では、利用者により紙幣が投入されるとともに、つり銭等としての紙幣を排出する。硬貨投入口５では、利用者が券類を購入するために代金を投入する。硬貨排出口８は、つり銭としての硬貨が排出される。上記券投入／排出口６には、発券処理された乗車券が排出される。
【００１１】
また、上記券売機１内には、図１に示すように、主制御部１０が設けられており、この主制御部１０は券売機１全体の制御を司るもので、たとえば、マイクロコンピュータとその周辺回路などを主体に構成されている。また、上記主制御部１０には、利用区間に対応する運賃データなどが記憶されているメモリ１１が接続されている。上記主制御部１０は、上記メモリ１１に記憶されているデータに基づいて運賃などの計算を行うようになっている。
【００１２】
上記紙幣投入／排出口４には、紙幣処理部１４が接続されており、この紙幣処理部１４では上記紙幣投入／排出口４に投入された紙幣、あるいは、上記紙幣投入／排出口４から放出する紙幣の処理を行う。たとえば、上記紙幣処理部１４では、上記紙幣投入／排出口４に投入された紙幣を鑑別し、券種ごとに貯留し、上記主制御部１０からの指示に応じて貯留している紙幣をつり銭として上記紙幣投入口４から放出する。
【００１３】
上記硬貨投入口５には検銭部１５もが接続されており、この検銭部１５では、上記硬貨投入口５に投入された硬貨の処理を行う。上記硬貨排出口８には釣銭部１８が接続されており、釣銭部１８では、上記硬貨排出口８から放出する硬貨の処理を行う。
【００１４】
また、上記検銭部１５には、釣銭部１８が接続されている。たとえば、上記検銭部１５では、上記硬貨投入口５に投入された硬貨を鑑別し、鑑別した硬貨の種類ごとに釣銭部１８に貯留する。上記釣銭部１８では、上記主制御部１０からの指示に応じて貯留している硬貨を上記硬貨排出口８から放出する。
【００１５】
そして、主制御部１０には発券装置１６が接続されており、上記発券装置１６には、上記券投入／排出口６が接続されている。上記発券装置１６では、上記主制御部１０からの指示に応じて乗車券の発券処理を行い、発券処理された乗車券を上記券投入／排出口６から排出したり、旧券を投入するようになっている。
【００１６】
次に、上記発券装置１６内の構成について説明する。 
図２は、発券装置１６の内部機構を概略的に示す図である。 
発券装置１６内には、ロール紙３０が装填されている。上記ロール紙３０は、磁気情報を記録する記録層を有する媒体により構成される。
【００１７】
上記ロール紙３０は、搬送ローラにより搬送路３１に沿って引き出されるようになっている。
【００１８】
上記搬送路３１上には、カッタ部３２が設けられている。上記カッタ部３２は、ロール紙３０をカットする機構により構成され、ロール紙３０は、所定の長さで上記カッタ部３２により搬送方向に対して直交する方向に切断される。
【００１９】
このため、上記カッタ部３２によりカットされたロール紙の紙片（乗車券として発券される記録媒体）は、ロール紙３０の幅とカットされた長さとからなる長方形となる。上記搬送路３１上には、ロール紙の有無を検知する図示しないセンサが複数設けられている。各センサの検知信号に基づいて、上記搬送路３１上のロール紙３０の先端位置、あるいは、ロール紙３０から切り出された紙片の位置などが検出されるようになっている。
【００２０】
上記搬送路３１上のカッタ部３２の後段には、印刷部３３が設けられている。上記印刷部３３は、上記カッタ部３２により所定のサイズに切り出された紙片と後述する券類供給装置から送出された定期原券等に対して印刷処理を行う部位である。上記印刷部３３は、印刷機構３３ａとローラ３３ｂとを有している。上記印刷機構３３ａは、搬送路３１上を搬送される記録媒体（ロール紙の紙片）の表面に印刷を行う機構であり、上記ローラ３３ｂは、カッタ部３２により切出された記録媒体（ロール紙の紙片）を上記印刷機構３３ａの印刷速度に応じて搬送する。上記印刷部３３では、記録媒体の表面に、たとえば、駅名、区間、料金、あるいは券種などの各種の券面情報を印刷するようになっている。
【００２１】
上記搬送路３１上の後段には、情報記録部３５が設けられている。上記情報記録部３５は、情報書込部３５ａと情報読取部３５ｂとを有している。上記情報書込部３５ａは、上記搬送路３１上を搬送される記録媒体（ロール紙３０から切り出された紙片）に情報を書き込むものである。上記書込部３５ａは、ロール紙３０から切り出された記録媒体の記録層に、所定の乗車券情報を磁気情報として書き込むための磁気ヘッドにより構成される。上記情報読取部３５ｂは、上記書込部３５ａにより書き込まれた情報を上記搬送路３１上を搬送される記録媒体から読取るものである。つまり、情報読取部３５ｂは、上記書込部３５ａにより記録媒体に書き込んだ情報を確認するために読取するものである。上記情報読取部３５ｂは、ロール紙３０から切り出された記録媒体の記録層から磁気情報を読取るための磁気ヘッドにより構成される。情報読取部３５ｂで読み込まれた情報が正しくなければ、記録媒体は搬送路３１上を逆走し、回収部３４ａに回収される。この情報読取部３５ｂはまた、装置に投入された情報媒体等（旧定期券、プリペイドカード、精算前の切符等）からの情報も読み込む。旧定期券や使用済みプリペイドカードのような大型情報媒体等であり、返却の必要無しと判断された情報媒体等は券投入/排出口６より搬送路３１を逆走し、回収部３４ｂに回収される。また残高のあるプリペイドカード等返却の必要ありと判断された情報媒体は搬送路３１を逆走し、情報媒体保留部３６に一旦保留される。
【００２２】
上記搬送路３１上の情報記録部３５の後段には、上記券投入/排出口６が設けられ、この券投入/排出口は発券装置１６から突出している。すなわち、上記情報記録部３５において記録媒体に書き込んだ情報が正常であれば、当該記録媒体を券投入／排出口６から排出することより、乗車券を発券する。また券やカード等を投入する場合もこの券投入/排出口６から行われる。
【００２３】
この発券装置１６には２つの券類供給装置が設けられている。これらの券類供給装置の仕組みは同一であり、大きさが異なる。小さい券類供給装置はプリペイドカード等の磁気カードに使用され、もう一方の大きい券類供給装置は定期等に用いられるリライト用カードが積層される。
【００２４】
図３はホッパの底面が回動可能な券類供給装置１００の斜視図であり、図４は扉１１４が開いている状態の側面に平行な断面図、図５は扉１１４を閉じた状態での側面に平行な断面図を示す。
【００２５】
券類供給装置１００は多数の券類を上下に積み重ねた積層状態で収容する底面回動式ホッパ１１０を有する。この底面回動式ホッパ１１０の底面１１１は券類が送出される側とは反対側にあたるホッパ１１０の壁面と接続された底面の一辺の支軸１１１ａを軸として回動するようになっておりその底面１１１の下にはカム１１２が設置されている。
【００２６】
このカム１１２はモータ１１３で回動される。扉１１４が開いたことを光センサ１１５で検知するとモータ１１３が起動してカム１１２が回動し、ホッパ１１０の底面１１１を押し上げ、支軸１１１ａを軸として回動することにより券類送出口１１６を閉塞する。
【００２７】
この底面回動式ホッパ１１０の下方には券類を送り出す為の送り出しローラ１１７を備えている。底面回動式ホッパ１１０の一方の壁面には券類を投入する為の扉１１４が設けられており、扉１１４の近傍には扉の開閉を検知するための光センサ１１５が設置されている。また底面回動式ホッパ１１０の他方の壁面には券類を送り出す券類送出口１１６を備えている。また券類送出口１１６の前方にはギャップブロック１１８が設けられ、ギャップブロック１１８はその間隙が券類１枚の厚さよりもわずかに広くすることにより券類が２枚以上送出される事を防止する。
【００２８】
以下券類供装置１００において券類を装填する動作を図６のフローチャートを参照しながら説明する。
【００２９】
底面回動式ホッパ１１０の扉１１４を開く（Ｓ１１）。光センサ１１５により扉１１４を開けた事を検知すると、モータ１１３が起動され、このモータ１１３の起動によりカム１１２が反時計方向に回動してカムの作用部１１２ａが上がる。このときカム１１２の位置は図４の断面図の位置をとる。カムの作用部１１２ａが回動して上がる事により底面１１１が一辺に設けられた支軸１１１ａを軸として図４中反時計方向に回動し、この底面１１１によって、券類送出口１１６が閉塞される（Ｓ１２）。
【００３０】
この状態で係員が券類を底面回動式ホッパ１１０の壁に突き当たるように投入する（Ｓ１３）。このとき底面１１１によって券類送出口１１６が塞がっているので券類が券類送出口１１６に入り込むことがない。券類装填後に係員が扉１１４を閉めると、扉１１４を閉めたことを光センサ１１５が検知し、モータ１１３のスイッチが入りカム１１２が図４中時計方向に回動し、カムの作用部１１２ａが下がる。このときカム１１２の位置は図５の断面図の示す位置をとる。カムの作用部１１２ａが下がることにより底面１１１が図４中時計方向に回動し、券類送出口１１６が開放される（Ｓ１４）。券類送出口１１６が開放された状態で券類の供給の指示が出ると送り出しローラ１１７が図５中時計方向に回転され、ホッパ内の最下端の券類のみがギャップブロック１１８から送出される（Ｓ１５）。
【００３１】
なおモータ１１３へのトリガは光センサ以外に、扉の開閉によってマイクロスイッチを押すような形状にする等、種々変型可能である。また底面を回動駆動させる機構としてモータだけでなく、ソレノイド等によって駆動することも可能である。
【００３２】
このように券類送出口１１６が閉塞することで、ホッパ１１０の壁に押しあてて券類を投入できる為、券類の端をそろえる事が出来、券類送出口１１６が閉塞されているため投入中に券類が券類送出口１１６から出てしまうことがないため、券詰まりを防止出来る。
【００３３】
次に、上記のように構成される券類供給装置を設けた発券装置１における定期券の発券する場合の処理について説明する。 
図７は、上記発券装置１での定期券の発券処理の流れを説明するためのフローチャートである。 
まず、利用者は、発券装置１のタッチパネル２ａ等を用いて定期券の発券を指示し、表示に従い、その定期券の購入金額を紙幣投入／排出口４あるいは硬貨投入口５に投入する（Ｓ１）。すると、上記発券装置１の主制御部１０は、当該利用者が紙幣投入／排出口４あるいは硬貨投入口５に投入した金額を鑑査し、指示された定期券の発券が可能であるか否かを判断する（Ｓ２）。これにより指示された定期券の発券が可能であると判断すると、上記発券装置１の主制御部１０は、発券装置１６による定期券の処理を開始する（Ｓ３）。
【００３４】
上記主制御部１０が定期券の発券を指示すると、発券装置１６では、券類供給装置内部で送り出しローラ１１７が回転し、定期券の原券が搬送路３１に送出される（Ｓ４）。
【００３５】
原券は搬送路３１を通り、印刷部３３まで運ばれ、原券の表面に所定の券面情報を印字する（Ｓ５）。上記印刷部３３により原券に券面情報が印字されると、次に定期券情報としての磁気情報を書き込む（Ｓ６）。
【００３６】
上記情報記録部３５では、上記印刷部３３で処理された原券の記憶層に定期券情報としての磁気情報を書き込み、その書き込んだ情報を確認読取する（Ｓ７）。ここで、当該原券に書き込んだ情報が正常に読取れなかった場合、つまり、当該原券に正常に磁気情報が書き込めなかった場合、当該原券は、回収部に搬送される（Ｓ８ｂ）。この場合、定期券の発券処理は中断されるか、あるいは、リトライされる（Ｓ８ｃ）。
【００３７】
当該原券に書き込んだ情報が正常に読取れた場合、つまり、当該原券に正常に磁気情報が書き込めた場合、上記主制御部１０は、当該原券を搬送路３１により搬送し、券排出口６から排出する。これにより、当該原券は、利用者が指示した定期券として発券される（Ｓ８ａ）。
【００３８】
上記実施の形態では、上記発券機が定期券を発券する処理について説明したが、普通乗車券等を発券する処理についても、精算券を発券する処理についても、同様な流れによって発券される。
【００３９】
以上のように券類供給装置を用いる事で、この発券装置は、券類の装填時に生じる券類のずれによる券詰まりを防止する。
【実施例２】
【００４０】
図８は券類止め部材２０６の回動を行う券類供給装置２００の斜視図であり、図９は扉２０３を開いた状態において券類供給装置２００の下部より券類供給装置２００を見た場合の外観図、図１０は扉２０３を閉じた状態、つまり券類止め部材２０６が券類の送出を許容している状態での側面に平行な断面図、図１１は扉２０３が開いている状態、つまり券類止め部材２０６が券類送出口２０４の前に位置している場合の正面図、図１２は扉２０３が開いている状態、つまり券類止め部材２０６が第一の方向に回動し、券類送出口２０４の前に位置して券類の流出を阻止している場合の断面図を示す。
【００４１】
券類供給装置２００は多数の券類を上下に積み重ねた積層状態で収容するホッパ２０１を有し、このホッパ２０１の下方には回転することにより券類を送り出す送り出しローラ２０２が設けられている。ホッパ２０１には一方の壁面に券類を投入する為の扉２０３が設けられており、他方の壁面に券類を送り出す券類送出口２０４が設けられている。また券類送出口２０４の券類送出方向前方にはギャップブロック２０５があり、ギャップブロック２０５はその間隙が券類一枚の厚さよりもわずかに広くすることにより券類が２枚以上送出される事を防止する。券類送出口２０４の券類送出方向前方でギャップブロック２０５の横には券類止め部材解除レバー２０７を通じて扉２０３に連動して回動する仕組みをもつ券類止め部材２０６が設けられている。
【００４２】
券類止め部材２０６はＬ字型形状の部材であり、支軸２０８を中心として回動可能に設けられている。券類止め部材２０６は作用部位２０６ａと二つの力点部２０６ｂ、２０６ｃを持つ。作用部位２０６ａはＬ字型形状の一方向で、券類の送出を防ぐ働きを持つ。Ｌ字型形状の他方向の端部には回動の中心となる支軸２０８及び力点部２０６ａ、２０６ｂが設けられている。
【００４３】
支軸２０８とホッパ２０１の底面との間に設けられた券類止め部材２０６上の力点部２０６ｂには一方がホッパ２０１の下に固定されたバネ２０９が券類止め部材を図１０中反時計方向に回動するよう付勢する状態で接続されている。
【００４４】
力点部２０６ｂとホッパ２０１の底面との間に設けられた券類止め部材２０６上の力点部２０６ｃにはホッパ２０１の底面の下方においてホッパの側面に平行にスライドする棒状の券類止め部材解除レバー２０７の一端が券類止め部材２０６が回動可能な状態で接続されている。券類止め部材解除レバー２０７の他端は、扉２０７を閉めることにより押され、また扉２０７を開放することにより他端の受ける扉２０７からの押圧が解かれる仕組みとなっている。
【００４５】
それにより券類止め部材解除レバー２０７は扉２０３を開放した際にバネ２０９の付勢力によってホッパ２０１の底面部を図中左方向に移動するようになっている。
【００４６】
また扉２０３を閉めることにより券類止め部材解除レバー２０７が扉２０３により押され、それにより券類止め部材解除レバー２０７が券類止め部材２０６の力点部位２０６ｃを押すこととなる。その結果として券類止め部材２０６はバネ２０９の付勢力に抗して図１０中時計方向に回動させられる。
【００４７】
このように券類止め部材２０６が反時計方向に回動することにより作用部位２０６ａが券類送出口２０４の送出方向前方に位置し券類の送出を阻止し、券類止め部材２０６が時計方向に回動することにより作用部位２０６ａが券類送出口２０４の送出方向前方からはずされ券類の送出を許容する。
【００４８】
以下この券類供給装置２００において券類を投入する動作を図１３を用いて説明する。
【００４９】
係員が券類をホッパ２０１に装填するために扉２０３を開ける（Ｓ２１）。
【００５０】
扉２０３を開くことにより券類止め部材解除レバー２０７の押圧が解かれ、付勢されていたバネ２０９が戻り、券類止め部材解除レバー２０７がバネの力により一部がホッパの外側に突出する。券類止め部材解除レバー２０７が突出することにより券類止め部材解除レバー２０７が接続された券類止め部材２０６が図１０中反時計方向に回動され、券類止め部材２０６の作用点２０６ａが図１２に示すように券類送出口２０４の券類送出方向前方に位置し、券類送出口２０４からの券類の突出が阻止される（Ｓ２２）。
【００５１】
券類止め部材２０６が券類送出口２０４の券類送出方向前方に位置した後、作業者は券類をホッパ２０１の壁に突き当たるように装填する。このとき券類止め部材２０６が券類送出口２０４の前方に位置するため装填時において券類を券類送出口２０４側の壁面に押し当てるように装填しても券類が券類送出口２０４より外に突出することがない（Ｓ２３）。
【００５２】
券類の装填が完了した後に係員がホッパ２０１の扉２０３を閉めることにより券類止め部材解除レバー２０７の一端が押され、それにより券類止め部材解除レバー２０７の他端に接続された券類止め部材２０６が図１０中時計方向に回動することにより、券類止め部材２０６の位置は図１０に示すように、券類止め部材２０６の作用部位２０６ａが券類送出口２０４の券類送出方向前方よりも下方に位置する（Ｓ２４）。券類送出口２０４が開放された状態で券類の供給の指示が出ると送り出しローラ２０２が時計方向に回転され、ホッパ内の最下端の券類のみがギャップブロック２０５から送出される（Ｓ２５）。
【００５３】
このように、扉２０３の開放時に券類送出口２０４からの券類の送出を阻止することで、ホッパ２０１の壁に押し当てて券類を投入することができるため、券類の端を揃えることができ、券類の投入中に券類が券類送出口２０４から突出することがないため、券類の投入による券詰まりを防止できる。
【実施例３】
【００５４】
図１４はマイクロスイッチ３０７により扉３０３の開閉を検知して券類止め部材３０６の回動を行う券類供給装置３００の斜視図であり、図１５は扉３０３を開いた状態において下部より券類供給装置３００を見た場合を示す外観図、図１６は扉３０３を閉じた状態、つまり券類の送出が許容された状態での側面に平行な断面図、図１７は扉３０３が開いている状態、つまり券類止め部材３０６が第２の方向に回動して券類止め部材３０６が第１の方向で回動して券類送出口３０４の券類送出方向前方に位置している場合の正面図、図１８は扉３０３が開いている状態、つまり券類止め部材３０６が第２の方向に回動して券類送出口３０４の券類送出方向前方に位置している場合での側面に平行な断面図をそれぞれ示す。
【００５５】
券類供給装置３００は多数の券類を上下に積み重ねた積層状態で収容するホッパ３０１を有し、このホッパ３０１の下方には図１６中時計回りに回転することにより券類を送り出す為の送り出しローラ３０２が設けられている。
【００５６】
ホッパ３０１には一方の壁面に券類を投入する為の扉３０３が設けられており、他方の壁面の底面近傍には券類を送り出す券類送出口３０４が設けられている。また扉３０３の近傍には扉の開閉を検知するためのマイクロスイッチ３０７が設けられている。マイクロスイッチ３０７は扉３０３を閉じることにより押下され、スイッチが入り、ソレノイド３０８に通電され、ソレノイドの芯３１２の吸引力が発生する。またマイクロスイッチ３０７は扉３０３が開くことによりスイッチが解除され、ソレノイド３０８への通電が止められ、ソレノイドの芯３１２の吸引力は無くなる。
【００５７】
また券類送出口３０４の券類送出方向前方にはギャップブロック３０５がありギャップブロック３０５はその間隙が券類一枚の厚さよりもわずかに広くすることにより券類が２枚以上送出される事を防止する。
【００５８】
券類送出口３０４の券類送出方向前方でギャップブロック３０５の横にはソレノイド３０８に接続されたＬ字型の券類止め部材３０６が設けられている。
【００５９】
ホッパ３０１の下方においてソレノイド３０８の芯３１２に接続されている券類止め部材３０６は支軸３１０を中心に回動可能に設けられている。券類止め部材３０６は作用部位３０６ａと力点部位３０６ｂと支軸３１０を持つ。Ｌ字型形状の一方向が作用部位３０６ａである。作用部位３０６ａは券類止め部材３０６が図中反時計方向に回動することにより券類送出口３０４の前に位置し、券類の送出を阻止する働きを持つ。
【００６０】
支軸３１０とホッパ３０１の底面との間に設けられた、券類止め部材３０６上の力点部３０６ｂには、一端がホッパ３０１の下に固定され、他端が力点部３０６ｂに回動可能に接続されたバネ３１１が設けられている。バネ３１１は、券類止め部材３０６を図１６中反時計方向に回動するように付勢する状態で接続されている。
【００６１】
券類止め部材３０６のＬ字型形状の他方向の端部には力点部３０６ｂが、Ｌ字型形状の他方向の辺の中央には力点部３０６ｃが設けられている。力点部３０６ｃには券類止め部材３０６が回動可能なようにソレノイド３０８の芯３１２が接続されており、ソレノイド３０８の芯３１２が上がった状態において券類止め部材３０６の作用部位３０６ａが券類送出口３０４の送出方向前方で券類の送出を阻止する状態となり、ソレノイド３０８の芯３１２が吸引された状態において券類止め部材３０６の作用部位３０６ａが券類送出口３０４の送出方向前方から退避して、券類の送出を許容する状態となるようにソレノイド３０８は設けられている。
【００６２】
以下この券類供給装置３００において券類を装填する動作を図１９を用いて説明する。
【００６３】
係員が券類装填のためにホッパ３０１の扉を開く（Ｓ３１）。
【００６４】
扉３０３を開放した際、スイッチが解除されたことにより扉３０３の開放を検知したマイクロスイッチ３０７によってソレノイド３０８へ流れていた電流が止められる。
【００６５】
ソレノイド３０８への電流が止められると、ソレノイド３０８の芯３１２の吸引力が無くなり、結果としてバネ３１１の付勢によって、支軸３１０を中心として券類止め部材３０６が図１６中反時計方向に回動され、券類止め部材３０６の作用部位３０６ａが券類送出口３０４の券類送出方向前方に位置し、券類の送出を防ぐ（Ｓ３２）。
【００６６】
この状態において係員が券類をホッパ３０１の壁に突き当たるように投入する（Ｓ３３）。
【００６７】
その後、扉３０３を閉じると、マイクロスイッチ３０７が扉３０３の閉鎖を検知し、マイクロスイッチ３０７によってソレノイド３０８へ電流が流され、ソレノイド３０８の芯３１２が吸引される。その結果として券類止め部材３０６が支軸３１０を中心として図１６中時計回りに回動する。そして券類止め部材３０６の作用部位３０６ａが券類送出口３０４の送出方向前方から退避して（Ｓ３４）券類の送出が許容される。券類送出口３０４が開放された状態で券類供給の指示が出ると送り出しローラ３０２が時計方向に回転され、ホッパ内の最下端の券類のみがギャップブロック３０５から送出される（Ｓ３５）。
【００６８】
なお、マイクロスイッチ３０７は光センサ等に変えるなどの応用が可能である。
【００６９】
このように券類の投入時には扉３０３を開放することによって券類止め部材３０６が回動して、券類送出口３０４からの券類の送出を阻止する位置にあるため、ホッパ３０１の壁に押し当てて券類を投入できる為、券類の端を揃えることができ、また券類止め部材３０６により出口からの流出が阻止されているため装填中に券類が券類送出口３０４から出てしまうことがなく、券詰まりを防止出来る。
【図面の簡単な説明】
【００７０】
【図１】本発明の第一の実施例である発券機の概略構成を示すブロック図。
【図２】本発明の第一の実施例である発券装置を概略的に示す構成図発券装置。
【図３】本実施例による券類供給装置１００の斜視図。
【図４】券類供給装置１００でカムが上がっている状態を示す断面図。
【図５】券類供給装置１００でカムが下がっている状態を示す断面図。
【図６】券類供給装置１００の券類供給のフローチャート。
【図７】発券機による乗車券の発券処理の流れを説明するためのフローチャート。
【図８】本発明の第２の実施例による券類供給装置２００の斜視図。
【図９】本発明の第２の実施例による券類供給装置２００の下から見た図。
【図１０】扉２０３を閉じた状態での扉に垂直な断面図。
【図１１】券類止め部材が閉まっている時の正面図
【図１２】券類止め部材が閉まっている状態の側面図。
【図１３】券類供給装置２００の券類供給のフローチャート。
【図１４】本発明の第３の実施例による券類供給装置３００の斜視図。
【図１５】本発明の第３の実施例による券類供給装置３００の下から見た図。
【図１６】扉３０３を閉じた状態での扉に垂直な断面図。
【図１７】券類止め部材が閉まっている時の正面図
【図１８】券類止め部材が閉まっている状態の側面図。
【図１９】券類供給装置３００の券類供給のフローチャート。
【符号の説明】
【００７１】
１０１、２０１、３０１  ホッパ
１１７、２０２、３０２  送り出しローラ
１１４、２０３、３０３  扉
１１６、２０４、３０４  券類送出口
１１８、２０５、３０５  ギャップブロック
２０６、３０６  券類止め部材
２０７  券類止め部材解除レバー
３０７  マイクロスイッチ
３０８  ソレノイド
１１０  底面回動式ホッパ
１１１  底面
１１２  カム
１１３  モータ
１１５  光センサ
【図１】
2008250499.tif 000003
【図２】
2008250499.tif 000004
【図３】
2008250499.tif 000005
【図４】
2008250499.tif 000006
【図５】
2008250499.tif 000007
【図６】
2008250499.tif 000008
【図７】
2008250499.tif 000009
【図８】
2008250499.tif 000010
【図９】
2008250499.tif 000011
【図１０】
2008250499.tif 000012
【図１１】
2008250499.tif 000013
【図１２】
2008250499.tif 000014
【図１３】
2008250499.tif 000015
【図１４】
2008250499.tif 000016
【図１５】
2008250499.tif 000017
【図１６】
2008250499.tif 000018
【図１７】
2008250499.tif 000019
【図１８】
2008250499.tif 000020
【図１９】
2008250499.tif 000021